(57)【要約】【課題】画像表示プロジェクタにおいて、ランプを単体で交換できる。【解決手段】ランプ２は、リフレクタ２２の外周面から突出するランプ保持用凸部２３を有する。ランプ取付部材６は、ランプ２のリフレクタ２２が当接されるプレート板６１から成り、プレート板６１は、窓６２と、板ばね状部材６３と、位置合せ用突起６４とを有する。板ばね状部材６３は、基端側６３ａがプレート板６１に固定され、先端側６３ｂが窓６２の周縁に沿って開放され、基端側６３ａと先端側６３ｂとの間に保持凹部６３ｃを有する。ランプ２を位置合せ用突起６４に載せてランプ２を時計回りの方向に回転させると、ランプ保持用凸部２３が板ばね状部材６３の先端側６３ｂとプレート板６１との間を通って保持凹部６３ｃに挿入され、ランプ２はランプ取付部材６に保持される。ランプ２を反時計回りの方向に回転させると、ランプ２はランプ取付部材６から取外される。【選択図】図３
2005134575.tif 000002
【特許請求の範囲】
【請求項１】
光を放射するランプバルブとその放射する光を反射するリフレクタとを有するランプと、前記ランプから出射される光を用いて画像を形成する画像形成素子と、前記ランプ及び画像形成素子を収納する筐体と、前記ランプを前記筐体内に収納するためのランプ収納空間を開閉する前記筐体に設けられたランプドアとを備え、前記画像形成素子で形成した画像を投射して表示する画像表示プロジェクタにおいて、
前記ランプが着脱自在に取付けられるランプ取付部材と、
基端側が前記ランプ取付部材に固定され、先端側が温度に応じて変形する形状記憶部材から成る温度検知レバーと、
前記温度検知レバーの先端側に設けられ、前記ランプドアをロックするためのドアストッパーとを備え、
前記ランプは、リフレクタの光出射側の端縁の外周面が略円形状であり、リフレクタの光出射側の端縁の外周面から外方に突出するランプ保持用凸部を有し、
前記ランプ取付部材は、前記ランプのリフレクタの光出射側の端縁が当接されるプレート板から成り、このプレート板は、前記ランプから出射された光を通過させる窓と、基端側が前記プレート板に固定され先端側が前記窓の周縁に沿って開放され前記ランプ保持用凸部が挿入されることにより前記ランプを保持する保持凹部を有する板ばね状部材と、前記プレート板の前記窓の周縁付近に設けられ、前記ランプのリフレクタが摺動自在に載せられるランプを前記窓に位置合せする位置合せ用突起とを有し、
前記ランプドアは、前記ドアストッパーと係合可能で、高温状態でランプドアの開放を禁止すると共に常温状態でランプドアの開放を可能とするドアロック用係合部を有し、
前記ランプのリフレクタを前記位置合せ用突起に載せて前記ランプを光出射方向を軸として一方向に回転させることにより、前記ランプ保持用凸部が前記板ばね状部材の先端側と前記プレート板との間に挿入されて前記ランプが前記ランプ取付部材に保持され、前記ランプを他方向に回転させることにより、前記ランプ保持用凸部が前記板ばね状部材による保持から離脱されて前記ランプが前記ランプ取付部材による保持を解除され、前記ランプ単体を交換自在としたことを特徴とする画像表示プロジェクタ。
【請求項２】
ランプバルブから放たれる光をリフレクタにより反射して出射するランプと、前記ランプから出射される光を用いて画像を形成する画像形成素子と、前記ランプ及び画像形成素子を収納する筐体とを備え、前記画像形成素子で形成した画像を投射して表示する画像表示プロジェクタにおいて、
前記ランプが着脱自在に取付けられるランプ取付部材を備え、
前記ランプ単体を交換自在としたことを特徴とする画像表示プロジェクタ。
【請求項３】
前記ランプは、リフレクタの光出射側の端縁の外周面が略円形状であり、リフレクタの光出射側の端縁の外周面から外方に突出するランプ保持用凸部を有し、
前記ランプ取付部材は、前記ランプのリフレクタの光出射側の端縁が当接されるプレート板から成り、このプレート板は、前記ランプから出射された光を通過させる窓と、基端側が前記プレート板に固定され先端側が前記窓の周縁に沿って開放され前記ランプ保持用凸部が挿入されることにより前記ランプを保持する保持凹部を有する板ばね状部材と、前記プレート板の前記窓の周縁付近に設けられ、前記ランプのリフレクタが摺動自在に載せられるランプを前記窓に位置合せする位置合せ用突起とを有し、
前記ランプのリフレクタを前記位置合せ用突起に載せて前記ランプを光出射方向を軸として一方向に回転させることにより、前記ランプ保持用凸部が前記板ばね状部材の先端側と前記プレート板との間に挿入されて前記ランプが前記ランプ取付部材に保持され、前記ランプを他方向に回転させることにより、前記ランプ保持用凸部が前記板ばね状部材による保持から離脱されて前記ランプが前記ランプ取付部材による保持を解除される請求項２に記載の画像表示プロジェクタ。
【発明の詳細な説明】
【技術分野】
【０００１】
本発明は、画像を投射してスクリーン等に表示する画像表示プロジェクタに関する。
【背景技術】
【０００２】
従来から、パソコンやビデオカメラ等からの画像データを基に、ランプから出射される光を用いて画像形成素子により画像を形成し、その画像をスクリーン等に投射して表示させる画像表示プロジェクタがある。この種の画像表示プロジェクタは、ランプ及び画像形成素子を筐体内に収納しており、ランプは、劣化や寿命により使用不能になったときに交換できるようになっている。このような画像表示プロジェクタは、ボックス内にランプを収納してランプユニットを構成し、このランプユニットを筐体内に着脱自在とし、ランプの交換に際しては、ランプユニットごと筐体から取外して交換するようにしたものが知られている（例えば、特許文献１乃至特許文献３参照）。
【特許文献１】特開２００２−３３３６６８号公報
【特許文献２】実用新案登録第３０９２１６１号公報
【特許文献３】特開平１０−３１１６３号公報
【発明の開示】
【発明が解決しようとする課題】
【０００３】
ところが、上述した従来の画像表示プロジェクタにおいては、ランプの交換は、ランプユニットごと行っていた。すなわち、ランプの交換に付随して、ランプを収納しているボックスも交換していた。このため、ランプ以外にボックスのコストが必要となり、コストが高くなっていた。なお、上述した特許文献１乃至特許文献３に開示の内容を適用したとしても、上記の課題を解決することはできない。
【０００４】
本発明は、上記課題を解決するためになされたものであり、ランプを単体で交換できる画像表示プロジェクタを提供することを目的とする。
【課題を解決するための手段】
【０００５】
上記目的を達成するために請求項１の発明は、光を放射するランプバルブとその放射する光を反射するリフレクタとを有するランプと、ランプから出射される光を用いて画像を形成する画像形成素子と、ランプ及び画像形成素子を収納する筐体と、ランプを筐体内に収納するためのランプ収納空間を開閉する筐体に設けられたランプドアとを備え、画像形成素子で形成した画像を投射して表示する画像表示プロジェクタにおいて、ランプが着脱自在に取付けられるランプ取付部材と、基端側がランプ取付部材に固定され、先端側が温度に応じて変形する形状記憶部材から成る温度検知レバーと、温度検知レバーの先端側に設けられ、ランプドアをロックするためのドアストッパーとを備え、ランプは、リフレクタの光出射側の端縁の外周面が略円形状であり、リフレクタの光出射側の端縁の外周面から外方に突出するランプ保持用凸部を有し、ランプ取付部材は、ランプのリフレクタの光出射側の端縁が当接されるプレート板から成り、このプレート板は、ランプから出射された光を通過させる窓と、基端側がプレート板に固定され先端側が窓の周縁に沿って開放されランプ保持用凸部が挿入されることによりランプを保持する保持凹部を有する板ばね状部材と、プレート板の窓の周縁付近に設けられ、ランプのリフレクタが摺動自在に載せられるランプを窓に位置合せする位置合せ用突起とを有し、ランプドアは、ドアストッパーと係合可能で、高温状態でランプドアの開放を禁止すると共に常温状態でランプドアの開放を可能とするドアロック用係合部を有し、ランプのリフレクタを位置合せ用突起に載せてランプを光出射方向を軸として一方向に回転させることにより、ランプ保持用凸部が板ばね状部材の先端側とプレート板との間に挿入されてランプがランプ取付部材に保持され、ランプを他方向に回転させることにより、ランプ保持用凸部が板ばね状部材による保持から離脱されてランプがランプ取付部材による保持を解除され、ランプ単体を交換自在としたものである。
【０００６】
この構成においては、ランプは、ランプ取付部材に着脱自在に取付けられる。これにより、ランプの交換に際しては、ランプ単体の交換が可能となり、従来のようなランプを収納するボックスが不要となり、ランプの交換に付随してランプ以外の部材を交換する必要がない。また、ランプの取付けは、ランプドアを開き、ランプのリフレクタを位置合せ用突起に載せてランプを一方向に回転させることにより行われる。一方、ランプの取外しは、ランプドアを開き、ランプ取付部材に保持されているランプを他方向に回転させることにより行われる。すなわち、ランプの着脱は、ランプを回転させるだけで、容易に行える。しかも、ランプが高温状態のときには、ドアストッパーが温度検知レバーにより駆動されてランプドアのドアロック用係合部と係合し、ランプドアの開放が禁止されて、ランプの交換が禁止される。
【０００７】
請求項２の発明は、ランプバルブから放たれる光をリフレクタにより反射して出射するランプと、ランプから出射される光を用いて画像を形成する画像形成素子と、ランプ及び画像形成素子を収納する筐体とを備え、画像形成素子で形成した画像を投射して表示する画像表示プロジェクタにおいて、ランプが着脱自在に取付けられるランプ取付部材を備え、ランプ単体を交換自在としたものである。
【０００８】
この構成においては、ランプは、ランプ取付部材に着脱自在に取付けられる。これにより、ランプの交換に際しては、ランプ単体の交換が可能となり、従来のようなランプを収納するボックスが不要となり、ランプの交換に付随してランプ以外の部材を交換する必要がない。
【０００９】
請求項３の発明は、請求項２に記載の画像表示プロジェクタにおいて、ランプは、リフレクタの光出射側の端縁の外周面が略円形状であり、リフレクタの光出射側の端縁の外周面から外方に突出するランプ保持用凸部を有し、ランプ取付部材は、ランプのリフレクタの光出射側の端縁が当接されるプレート板から成り、このプレート板は、ランプから出射された光を通過させる窓と、基端側がプレート板に固定され先端側が窓の周縁に沿って開放されランプ保持用凸部が挿入されることによりランプを保持する保持凹部を有する板ばね状部材と、プレート板の窓の周縁付近に設けられ、ランプのリフレクタが摺動自在に載せられるランプを窓に位置合せする位置合せ用突起とを有し、ランプのリフレクタを位置合せ用突起に載せてランプを光出射方向を軸として一方向に回転させることにより、ランプ保持用凸部が板ばね状部材の先端側とプレート板との間に挿入されてランプがランプ取付部材に保持され、ランプを他方向に回転させることにより、ランプ保持用凸部が板ばね状部材による保持から離脱されてランプがランプ取付部材による保持を解除されるものである。
【００１０】
この構成においては、ランプの取付けは、ランプドアを開き、ランプのリフレクタを位置合せ用突起に載せてランプを一方向に回転させることにより行われる。また、ランプの取外しは、ランプドアを開き、ランプ取付部材に保持されているランプを他方向に回転させることにより行われる。すなわち、ランプの着脱は、ランプを回転させるだけで、容易に行える。
【発明の効果】
【００１１】
請求項１の発明によれば、ランプが着脱自在に取付けられるランプ取付部材を備え、ランプ単体を交換できる構成にしたので、従来のようなランプを収納するボックスが不要となり、コストを削減できる。しかも、ランプは、リフレクタの外周面にランプ保持用凸部を有し、プレート板は、ランプのランプ保持用凸部が窓の周縁に沿って挿入されることによりランプを保持する板ばね部材と、ランプのリフレクタが載せられることによりランプを位置合せする位置合せ用突起とを有するため、リフレクタを位置合せ用突起に載せた状態でランプを回転させるだけでランプを着脱でき、ランプの交換を容易に行うことができる。また、温度に応じて変形する温度検知レバーと、温度検知レバーの変形により駆動されてランプドアのドアロック用係合部に係合されるドアストッパーとを備えるため、ランプが高温状態にあるときにはランプドアの開放が禁止され、これにより、火傷等の事故を未然に防止でき、安全にランプの交換を行うことができる。
【００１２】
請求項２の発明によれば、ランプが着脱自在に取付けられるランプ取付部材を備え、ランプ単体を交換できる構成にしたので、従来のようなランプを収納するボックスが不要となり、コストを削減できる。
【００１３】
請求項３の発明によれば、ランプは、リフレクタの外周面にランプ保持用凸部を有し、プレート板は、ランプのランプ保持用凸部が窓の周縁に沿って挿入されることによりランプを保持する板ばね部材と、ランプのリフレクタが載せられることによりランプを位置合せする位置合せ用突起とを有するため、リフレクタを位置合せ用突起に載せた状態でランプを回転させるだけでランプを着脱でき、ランプの交換を容易に行うことができる。
【発明を実施するための最良の形態】
【００１４】
以下、本発明を具体化した実施形態について図面を参照して説明する。図１及び図２において、画像表示プロジェクタ１は、パソコンやビデオカメラ等から入力される画像信号を基に、光源であるランプ２から出射される光を用いて画像形成素子３により画像を形成し、その画像を投射レンズ４からスクリーン等に投射表示する装置である。
【００１５】
画像表示プロジェクタ１は、ランプ２と、画像形成素子３と、投射レンズ４と、反射ミラー５と、ランプ取付部材６と、温度検知レバー７と、ドアストッパー８と、筐体９と、ランプドア１０とを備えている。筐体９は、画像投射用開口１１を有している。画像投射用開口１１は、画像形成素子３にて形成した画像を投射レンズ４から筐体９の外部に向けて投射するための開口であり、筐体９の正面に形成されている。また、筐体９の内部には、ランプ収納空間１２が形成されている。ランプ収納空間１２は、ランプ２を筐体９の内部に収納するための空間である。筐体９の側面は、ランプドア１０が脱着される構成となっており、ランプ収納空間９２は、ランプドア１０を筐体９から脱着することにより開閉される。ランプドア１０は、脱着用係合部１３、１４と、ドアロック用係合部１５とを有している。
【００１６】
ランプ２は、画像投射用の光を出射するものであり、筐体９内のランプ収納空間９２に交換自在に収納される。画像形成素子３は、ランプ２からの光を反射して画像を形成するものである。投射レンズ４は、画像形成素子３により反射された光、すなわち画像形成素子３にて形成された画像を筐体９の外部に向けて投射するものである。反射ミラー５は、ランプ２から出射される画像投射用の光を反射して、画像形成素子３に照射するものである。画像形成素子３、投射レンズ４、及び反射ミラー５は、筐体９内に収納されており、投射レンズ４は、筐体９の画像投射用開口１１に臨む位置に配置されている。
【００１７】
ランプ取付部材６は、ランプ２をランプ収納空間９２内に着脱自在に取付けるためのものであり、ランプ収納空間９２に配置されている。温度検知レバー７は、ランプ２の温度を検知し、その検知温度に応じて変位動作するものであり、形状記憶合金から成っている。この温度検知レバー７は、ランプ取付部材６に取付けられている。ドアストッパー８は、温度検知レバー７の変位動作により駆動されて、ランプドア１０のドアロック用係合部１５に係合されるものであり、ランプ取付部材６に取付けられた支持部材８１に支持されている。
【００１８】
次に、上記ランプ２及びランプ取付部材６の構成と共にランプ２のランプ取付部材６への取付構造について、図３（ａ）（ｂ）（ｃ）を参照して説明する。
【００１９】
ランプ２は、光を放射するランプバルブ２１と、ランプバルブ２１から放射された光を反射するリフレクタ２２と、リフレクタ２２に形成されたランプ保持用凸部２３とを有している。リフレクタ２２は、光出射側の端縁の外周面が光出射光軸Ｐ上に中心を有する略円形状になっている。ランプ保持用凸部２３は、リフレクタ２２の光出射側の端縁の外周面から外方に突出しており、光出射光軸Ｐに対して点対称に２箇所に形成されている。このランプ保持用凸部２３は、リフレクタ２２と同じ硝子により、リフレクタ２２と一体に形成されている。
【００２０】
一方、ランプ取付部材６は、プレート板６１から成っている。このプレート板６１は、筐体９の底面部に固定されており、ランプ２から出射された光を通過させる窓６２と、ランプ２を保持する板ばね状部材６３と、ランプ２を窓６２に位置合せする位置合せ用突起６４とを有している。
【００２１】
窓６２は、ランプ２のリフレクタ２２の外周面の形状よりも少し小さい略円形状に形成されている。板ばね状部材６３は、ランプ２を保持するものであり、窓６２の中心に対して点対称に窓６２の上下に２箇所に設けられている。各々の板ばね部材６３は、基端側６３ａがプレート板６１に固定され、先端側６３ｂが窓６２の周縁に沿って開放され、保持凹部６３ｃが基端側６３ａと先端側６３ｂとの間に設けられている。保持凹部６３ｃは、ランプ２のランプ保持用凸部２３が挿入されて、ランプ２を保持するものである。板ばね部材６３の先端側６３ｂは、基端側６３ａに対してランプ２の光出射方向に見て反時計回りの方向に伸びており、プレート板６１から離れる方向に湾曲している。
【００２２】
位置合せ用突起６４は、ランプ２を窓６２に位置合せするためのものであり、窓６２の同心円上に２箇所に設けられている。この２つの位置合せ用突起６４は、ランプ２のリフレクタ２２が摺動自在に載せられる間隔で、窓６２の中心よりも下側の左右に設けられている。リフレクタ２２を位置合せ用突起６４に載せた状態では、ランプ２の光出射光軸Ｐが窓６２の中心を通るように、ランプ２が窓６２に位置合せされる。
【００２３】
ランプ２のランプ取付部材６への取付けは、まず、ランプ保持用凸部２３を板ばね部材６３からずらした状態で、リフレクタ２２の光出射側の端縁をプレート板６１に向き合わせる（図３（ａ）参照）。次に、リフレクタ２２の光出射側の端縁をプレート板６１に押し当てて、ランプ２を２つの位置合せ用突起６４に載せた（すなわちリフレクタ２２の外周面を２つの位置合せ用突起６４に接触させた）状態で、ランプ２を光出射方向に見て時計回りの方向に回転させる（図３（ｂ）参照）。このとき、ランプ２は、リフレクタ２２の外周面が光出射光軸Ｐ上に中心を有する略円形状であるため、光出射光軸Ｐを中心軸として回転される。従って、ランプ２を回転させても、ランプ２の光出射光軸Ｐは位置ずれすることなく、ランプ２は位置合せされた状態が維持される。
【００２４】
ランプ２を光出射方向に見て時計回りの方向に回転させてゆくと、ランプ保持用凸部２３は、やがて、板ばね状部材６３の先端側６３ｂとプレート板６１との間に挿入されて、板ばね状部材６３の保持凹部６３ｃに嵌め込まれる（図３（ｃ）参照）。これにより、ランプ２は、板ばね部材６３に保持されて、ランプ取付部材６に取付けられた状態になる。このとき、リフレクタ２２の外周面は、２つの位置合せ用突起６４と接触しており、ランプ２の位置合せも行われた状態になっている。
【００２５】
ランプ２のランプ取付部材６からの取外しは、ランプ２を反時計回りの方向に回転させることにより行われる。ランプ２を反時計回りの方向に回転させると、ランプ保持用凸部２３は、板ばね状部材６３の先端側６３ｂとプレート板６１との間から抜き取られ、板ばね状部材６３による保持が解除される。これにより、ランプ２は、ランプ取付部材６から取外される。
【００２６】
次に、上記温度検知レバー７及びドアストッパー８の構成と共にランプドア１０のロック構造について、図４（ａ）（ｂ）（ｃ）を参照して説明する。
【００２７】
温度検知レバー７は、上述のように形状記憶合金から成っており、ランプ取付部材６に取付けられている。この温度検知レバー７は、棒状に構成されており、その基端側がランプ取付部材６に固定され、先端側が自由端とされている。従って、温度検知レバー７は、ランプ２からランプ取付部材６を介して伝わる熱、及びランプ２から周辺雰囲気を介して伝わる熱によりランプ２の温度を検知して、その検知温度に応じて撓んで変形し、先端部７ａの位置が上下方向に変位する。温度検知レバー７の先端部７ａは、ランプ２が高温（ランプ２に触れると火傷等を起こす可能性のある温度）状態になると初期位置から上昇し、ランプ２が常温（ランプ２に触れても火傷等を起こす可能性のない温度）状態になると初期位置に復帰する。
【００２８】
また、ドアストッパー８は、上述のようにランプ取付部材６に取付けられた支持部材８１に支持されている。このドアストッパー８は、支持部材８１に回動自在に支持されており、その基端部８ａが温度検知レバー７の先端部７ａに連結されている。従って、ドアストッパー８の先端部８ｂは、温度検知レバー７の先端部７ａの変位に応じて上下方向に変位する。
【００２９】
一方、ランプドア１０は、上述のようにドアロック用係合部１５を有している。ドアストッパー８の先端部８ｂは、下方に変位した状態では、ドアロック用係合部１５に係合するようになっている。ランプドア１０は、ドアストッパー８の先端部８ｂがドアロック用係合部１５に係合されている状態では、ロックされて開放（筐体９からの取外し）が禁止され、係合されていない状態では、ロックが解除されて開放が可能とされる。
【００３０】
ランプドア１０のロック構造は、以下のように動作する。まず、ランプ２が常温状態のきには、温度検知レバー７の先端部７ａは初期位置にあり、ドアストッパー８の先端部８ｂはドアロック用係合部１５に係合しておらず、従って、ランプドア１０の開閉が自在に行える（図４（ａ）参照）。
【００３１】
ランプドア１０を閉じてランプ２を点灯すると、ランプ２の温度は上昇してゆく。そして、ランプ２が高温状態に至ると、温度検知レバー７は変形して、その先端部７ａが上昇し、これにより、ドアストッパーの先端部８ｂは下降する（図４（ｂ）参照）。ドアストッパー８の先端部８ｂが下降すると、ドアストッパー８の先端部８ｂは、ランプドア１０のドアロック用係合部１５に係合された状態となる（図４（ｃ）参照）。これにより、ランプドア１０は、ロックされた状態となり、ランプドア１０の開放が禁止される。
【００３２】
また、ランプ２を消灯すると、ランプ２の温度は下降してゆく。そして、ランプ２が常温状態に至ると、温度検知レバー７は初期形状に変形して、その先端部７ａは初期位置に下降する。温度検知レバー７の先端部７ａが初期位置に下降すると、ドアストッパー８の先端部８ｂは、初期位置に上昇し、ドアロック用係合部１５との係合が解除される。これにより、ランプドア１０は、ロックが解除された状態となり、ランプドア１０の開放が可能とされる（図４（ａ）参照）。
【００３３】
上記構成の画像表示プロジェクタ１によれば、ランプ２は、ランプ取付部材６に着脱自在に取付けられる。従って、ランプ２の交換に際しては、ランプ２が単体で交換される。しかも、ランプ２の取付けは、ランプ２のリフレクタ２２を位置合せ用突起６４に載せて時計回りの方向に回転させるだけでよく、ランプ２の取外しは、ランプ取付部材６に取付けられているランプ２を反時計回りの方向に回転させるだけでよい。従って、ランプ２を容易に着脱することができ、また、ランプ２を取付けるためのねじも不要である。また、ランプ２が高温状態にあるときは、ランプドア１０の開放が禁止されるため、例えばランプ２の消灯直後等の高温状態でのランプ２の交換が禁止され、火傷等の事故を未然に防止することができる。
【００３４】
なお、本発明は、上記実施形態の構成に限られず、種々の変形が可能である。例えば、上記実施形態において、ランプ保持用凸部２３は、２箇所に限られず、例えば３箇所以上に形成してもよい。この場合、板ばね部材６３は、ランプ保持用凸部２３に対応させて３箇所以上に設ければよい。また、プレート板６１は、複数に分割されていてもよい。また、温度検知レバー７及びドアストッパー８は、ランプ取付部材６に取付けた構成に限られず、例えば筐体９の側面部や上面部に取付けた構成であってもよい。
【図面の簡単な説明】
【００３５】
【図１】本発明の一実施形態に係る画像表示プロジェクタの概略構成を示す斜視図。
【図２】同プロジェクタのランプを取外した状態を示す一部破断した斜視図。
【図３】（ａ）（ｂ）（ｂ）は同プロジェクタのランプの取付構造を示す部分拡大した斜視図。
【図４】（ａ）（ｂ）（ｂ）は同プロジェクタのランプドアのロック構造を示す部分拡大した斜視図。
【符号の説明】
【００３６】
１  画像表示プロジェクタ
２  ランプ
３  画像形成素子
４  投射レンズ
６  ランプ取付部材
７  温度検知レバー
８  ドアストッパー
９  筐体
１０  ランプドア
１４  ドアロック用係合部
２１  ランプバルブ
２２  リフレクタ
２３  ランプ保持用凸部
６１  プレート板
６２  窓
６３  板ばね状部材
６３ａ  板ばね状部材の基端側
６３ｂ  板ばね状部材の先端側
６３ｃ  保持凹部
６４  位置合せ用突起
Ｐ  ランプの光出射光軸
【図１】
2005134575.tif 000003
【図２】
2005134575.tif 000004
【図３】
2005134575.tif 000005
【図４】
2005134575.tif 000006